(57)【要約】【課題】単一のスイッチによりシフトレバーがＤと４、２とＬの何れのポジションにあるかを検出することができるゲート式シフトレバー装置を提供する。【解決手段】シフトレバー本体に、セレクト方向に傾斜した突状カム６を設ける。ケース１側にはシフトレバーがＤと４、２とＬの何れかのポジションにシフトされたときに、前記突状カム６と接触してシフトレバー本体２のセレクト操作により揺動されるリンク１１を設ける。このリンク１１の動きは単一のスイッチ１２により検出される。このため従来のように２個のスイッチを設ける必要がない。【選択図】    図６
2004196137.tif 000002
【特許請求の範囲】
【請求項１】
ゲート溝に沿ってシフト操作とセレクト操作とが行われるシフトレバー本体に、セレクト方向に傾斜した突状カムを設けるとともに、このシフトレバー本体を支持するケース側には，シフトレバー本体がＤ−４ポジションと２−Ｌポジションのいずれのポジションにあるときにも前記突状カムと接触しシフトレバー本体のセレクト操作により揺動されるリンクと、このリンクの動きを検出するスイッチとを設けたことを特徴とするゲート式シフトレバー装置。
【請求項２】
突状カムが、シフト中心からの距離がほぼ等しく、傾斜方向の異なる２つのカムからなることを特徴とする請求項１記載のゲート式シフトレバー装置。
【発明の詳細な説明】
【０００１】
【発明の属する技術分野】
本発明は、ゲート溝に沿ってシフト操作とセレクト操作とが行われるゲート式シフトレバー装置に関するものである。
【０００２】
【従来の技術】
【特許文献１】特開２００２−１７２９５０、段落０００３
【０００３】
ゲート式シフトレバー装置は、図１に示すようなゲート溝に沿ってシフトレバーを動かし、ポジションの選択を行う装置である。一般にＰ，Ｒ，Ｎ，Ｄ，Ｌの各ポジションはシフト方向に異なる位置に配置されているため、コントロールケーブルによってシフトレバーのポジションを変速機に伝えることができる。しかし、Ｄと４及び２とＬとはシフト方向には同一位置にありセレクト操作によって切り替えが行われるため、シフトレバーがＤと４、２とＬの何れのポジションにあるかはスイッチにより電気的に検出されている。
【０００４】
このため従来は、４とＬの２つのポジションの外側位置にそれぞれ第１と第２のスイッチを配置し、シフトレバーがＤポジションにあるときには第１スイッチがオフとなり、シフトレバーが４ポジションにあるときには第１スイッチがオンとなり、シフトレバーがＬポジションにあるときには第２スイッチがオンとなり、シフトレバーが２ポジションにあるときには第２スイッチがオフとなることを利用してシフトレバーがＤと４、２とＬの何れのポジションにあるかを検出していた。しかしこのためには２つのスイッチを要し、コスト高となるうえに配線の取り回しも面倒となるという問題があった。
【０００５】
【発明が解決しようとする課題】
本発明は上記した従来の問題点を解決し、単一のスイッチによりシフトレバーがＤと４、２とＬの何れのポジションにあるかを検出することができるゲート式シフトレバー装置を提供するためになされたものである。
【０００６】
上記の課題を解決するためになされた本発明は、ゲート溝に沿ってシフト操作とセレクト操作とが行われるシフトレバー本体に、セレクト方向に傾斜した突状カムを設けるとともに、このシフトレバー本体を支持するケース側には，シフトレバー本体がＤ−４ポジションと２−Ｌポジションのいずれのポジションにあるときにも前記突状カムと接触しシフトレバー本体のセレクト操作により揺動されるリンクと、このリンクの動きを検出するスイッチとを設けたことを特徴とするものである。なお、突状カムがシフト中心からの距離がほぼ等しく、傾斜方向の異なる２つのカムからなるものとすることができる。
【０００７】
本発明のゲート式シフトレバー装置は、シフトレバー本体がＤ−４ポジションと２−Ｌポジションのいずれのシフトポジションにある場合にも、シフトレバー本体のセレクト方向の位置を同一のリンクを介してスイッチに伝え、このスイッチをオンオフさせることができる。このため、従来のように２つのスイッチを設ける必要がなく、単一のスイッチによりシフトレバーがＤと４、２とＬの何れのポジションにあるかを検出することができる。
【０００８】
【発明の実施の形態】
以下に図面を参照しつつ、本発明の好ましい実施形態を示す。
図２はゲート式シフトレバー装置の全体図であり、１はケース、２はこのケース１に支持されているシフトレバー本体である。また３はシフトレバー本体のシフト中心軸、４はセレクト中心軸である。ケース１の上面には図１に示されたゲート溝５が形成されており、シフトレバー本体２はゲート溝に沿ってシフト操作とセレクト操作とが行われるようになっている。
【０００９】
図３と図４はシフトレバー本体２の正面図と側面図である。これらの図に示すように、シフトレバー本体２の上部外面にはセレクト方向に傾斜した２つの突状カム６，７が設けられている。この実施形態では、突状カム６，７は図３に示されるようにシフト中心軸３からの距離がほぼ等しく、かつ図４に示すように傾斜方向の異なる２つのカムである。この実施形態では分離された２つの突状カム６，７が形成されているが、もちろんこれらを一体に形成することも可能である。なお、図３の左側に示されるボックス８はシフトロック用のものであるが、本発明においては直接関係がないので説明を省略する。
【００１０】
図２に破線で示したように、ケース１の内部天井面から柱９がシフトレバー本体２に向かって垂下している。そしてその柱９の下端部には、図５に示すように軸１０によってリンク１１が枢着されている。このリンク１１はセレクト方向に延びており、セレクト方向の端部に位置する軸１０を中心として上下に揺動することができる。このため後記するように、突状カム６，７がこのリンク１１と接した状態でセレクト操作が行われると、リンク１１は上下方向に揺動される。またケース１の内部のリンク１１の上側位置には、リンク１１のこの動きを検出する単一のスイッチ１２が配置されている。このスイッチ１２はリンク１１が上方に揺動したときに押されてオンとなるオンオフスイッチである。
【００１１】
以下に本発明の作動を説明する。
まずシフトレバー本体２がＰポジションやＲポジションなどにあるときには、シフトレバー本体２は図３のように直立に近い状態であり、このときには図５のようにシフトレバー本体２の突状カム６，７はリンク１１と接触していない。このためこれらのポジションにおけるセレクト操作は、スイッチ１２とは無関係である。
【００１２】
次にシフトレバー本体２がＤポジションにシフトされると、シフトレバー本体２はシフト中心軸３を中心として図１、図３の右方向に回転し、図６に示すようにシフトレバー本体２の突状カム６がリンク１１の下部に入る。しかしリンク１１は突状カム６とは非接触であるため、この状態ではリンク１１は下がった位置にあり、スイッチ１２はオフである。
【００１３】
しかしシフトレバー本体２がＤポジションから４ポジションにセレクトされると、図７に示すようにシフトレバー本体２の突状カム６の斜面によってリンク１１が僅かに上方に揺動され、これに押されたスイッチ１２をオンとする。これによってシフトレバー本体２が４ポジションに入ったことが電気信号として検出することができる。
【００１４】
またシフトレバー本体２が２ポジションにシフトされると、シフトレバー本体２はシフト中心軸３を中心として更に右方向に回転するため、図８に示すようにシフトレバー本体２の突状カム７がリンク１１の下部に入る。しかしこの状態ではリンク１１は下がった位置にあり、スイッチ１２はオフである。
【００１５】
さらにこのシフトレバー本体２が２ポジションからＬポジションにセレクトされると、図９に示すようにシフトレバー本体２の突状カム７の斜面によってリンク１１が押し上げられて上方に揺動され、これに押されたスイッチ１２をオンとする。これによってシフトレバー本体２がＬポジションに入ったことが電気信号として検出することができる。
【００１６】
このように本発明によれば、単一のスイッチ１２によって２つのシフトポジションにおけるセレクト操作を、単一のスイッチ１２によって検出することができる。なお、スイッチ１２は４ポジションとＬポジションのいずれにおいてもオンとなるが、シフトポジションの違いは変速機側からの信号により確認できるため、混同を生ずることはない。
【００１７】
【発明の効果】
以上に説明したように、本発明のゲート式シフトレバー装置は、単一のスイッチによりシフトレバーがＤと４、２とＬの何れのポジションにあるかを検出することができる。このため従来のように２個のスイッチを設ける必要はなく、コストダウン及び配線取り回しの簡素化を図ることができる利点がある。
【図面の簡単な説明】
【図１】ゲート溝を示す平面図である。
【図２】ゲート式シフトレバー装置の全体図である。
【図３】シフトレバー本体の正面図である。
【図４】シフトレバー本体の側面図である。
【図５】Ｐポジションにおける作動説明図である。
【図６】Ｄポジションにおける作動説明図である。
【図７】４ポジションにおける作動説明図である。
【図８】２ポジションにおける作動説明図である。
【図９】Lポジションにおける作動説明図である。
【符号の説明】
１  ケース
２  シフトレバー本体
３  シフト中心軸
４  セレクト中心軸
５  ゲート溝
６  突状カム
７  突状カム
８  ボックス
９  柱
１０  軸
１１  リンク
１２  スイッチ
【図１】
2004196137.tif 000003
【図２】
2004196137.tif 000004
【図３】
2004196137.tif 000005
【図４】
2004196137.tif 000006
【図５】
2004196137.tif 000007
【図６】
2004196137.tif 000008
【図７】
2004196137.tif 000009
【図８】
2004196137.tif 000010
【図９】
2004196137.tif 000011